Podtech/llm-jp-corpus-v4-ja_patent huggingface dataset:
(57)【要約】      （修正有）【課題】コップに注いだ飲料水等を複数回に分けて飲用する際、再度飲むまでの間、落下菌や飛沫菌等の混入を防ぐため、コップ本体の飲み口の周囲の所望の上端に、開閉自在に成る構成を有した蓋を具備した蓋付きコップを提供する。【解決手段】コップ本体３０に蓋１０と軸２０を一体型に形成し、その全体の構成は例えば樹脂成型をしての製作、あるいはステンレス製作でも良い。そして、その蓋１０を開ける場合は取手３５を支持し突部１５を下げることで蓋１０は開となり、またその動作を逆にすることで蓋１０閉となる。蓋１０の開閉はコップ本体３０の飲み口周囲の下部所望位置に軸２０を設け、その軸２０を介して蓋１０が開閉自在の構成とし、また蓋１０とコップ３０は密接し、蓋１０形状は、コップ本体３０の円周よりやや大きめに構成する。【選択図】図１
0003153326.tif 000002
【実用新案登録請求の範囲】
【請求項１】
飲用するコップ本体の飲み口周囲の所望位置に軸を介して蓋が開閉自在にしたことを特徴とする蓋付きコップ。
【考案の詳細な説明】
【技術分野】
【０００１】この考案は、飲料水を飲用する場合のコップで、詳しくはコップに専用の蓋を具備したコップに関する。
【背景技術】
【０００２】従来のコップ等でお茶やその他の飲料水を飲用する場合、注がれた飲料水を一気に飲む場合はなんら問題はない。【０００３】しかしながら、一気に飲用せずにテーブルなどに置き、また再び飲用するときにおいては、その周囲を人の歩く事や落下菌等、あるいは、飛沫菌等を考えると大変不衛生である。そうした場合コップに相当する蓋なるもの、例えば紙やハンケチ等を載せてコップに入る雑菌等を防ぐ事は誰しも考えするところであるが、そうした行為は出来そうで実生活ではしない事の方が多い。仮に、入院中での食事時間等においては特に衛生面的にコップの蓋なるものが欲しいと感ずるものとおもう。
【考案が解決しようとする課題】
【０００４】かかる従来のコップを改良するところに本考案が解決しようとする課題を有する。
すなわち、本考案はコップの本体に常に蓋成るものを具備する構成としたところに課題の解決がある。
【課題を解決するための手段】
【０００５】本考案は、上記の如き問題を解決するために開発されたものであって、コップ本体の飲み口の周囲の所望の上端に開閉自在に成る構成を有した蓋を取り付け具備した蓋付きコップを提供する。
【考案の効果】
【０００６】本考案は、コップ本体部分と蓋部分とから成る蓋付きコップにおいて、前記のコップ本体の飲み口の周囲の所望位置に軸を介して蓋が上下に開閉自在になる構成とすることで、従来のように飲用する際に埃等を気にすることなく飲用でき大変衛生的で便利である。
【考案を実施するための最良の形態】
【０００７】本考案の実施形態は、コップ本体部分と蓋部分とからなる蓋付きコップにおいて前記蓋の部分は軸を介し開閉自在に構成し、該軸はコップに固着される一体型を形成する。
【実施例】
【０００８】以下、図面に従って本考案の実施例について説明する。第１図はコップ本体３０に本案の蓋１０と軸２０を一体型に形成具備した斜視図を示したものであり、その全体の構成は例えば樹脂成型をしての製作、あるいはステンレス製作でも良いかと思われる。そして、その蓋１０を開ける場合は取手３５を支持し突部１５を下げることで蓋１０は開となり、またその動作を逆にすることで蓋１０閉となる。【０００９】つまり、蓋１０の開閉はコップ本体３０の飲み口周囲の下部所望位置に軸２０を設け、その軸２０を介して蓋１０が開閉自在の構成とし、また第２図に示すように蓋１０とコップ３０は密接し（蓋裏は図示せず）蓋１０形状は、コップ本体３０の円周よりやや大きめの形状が好ましい。【００１０】このような構成での蓋付きコップであるからして、例えばコップ本体３０や蓋１０に花や小動物等を描く事でさらに、コップ全体のイメージをアップするだけでなく大変衛生的なコップを提供できる。
【図面の簡単な説明】
【図１】本考案のコップに蓋を具備した斜視図。
【図２】本考案のコップに蓋を具備した側面図。
【図３】本考案のコップに蓋を具備した背面図。
【図４】本考案のコップに蓋を具備した底面図。
【符号の説明】  １０  蓋
１５  突部
２０  軸
３０  コップ
３５  取手
４０  こう台
【図１】
0003153326.tif 000003
【図２】
0003153326.tif 000004
【図３】
0003153326.tif 000005
【図４】
0003153326.tif 000006
(57)【要約】      （修正有）【課題】細長い形状の財布で、軽くて、握りやすく、手に持っていても疲れないことが特徴の細長い形状のかまくら財布を提供する。【解決手段】財布本体１に口金２ａ、または、ファスナーを設け、口金２ａ、または、ファスナーに止め具３を設け、財布本体１の内側に仕切りＡ４、仕切りＢ５、仕切りＣ６を設け、財布本体１の内側に小銭収納部Ａ７、小銭収納部Ｂ８、小銭収納部Ｃ９を設け、財布本体１の内側に収納部Ａ１０、収納部Ｂ１１を設け、財布本体１の外側に収納部Ｃを設け、口金２ａに根付け取付部１３を設け、財布本体１の外側につまみ１４を設けたことを特徴とする。【選択図】図１
0003153324.tif 000002
【実用新案登録請求の範囲】
【請求項１】
財布本体（１）に口金（２ａ）、または、ファスナー（２ｂ）を設け、口金（２ａ）、または、ファスナー（２ｂ）に止め具（３）を設け、財布本体（１）の内側に仕切りＡ（４）、仕切りＢ（５）、仕切りＣ（６）を設け、財布本体（１）の内側に小銭収納部Ａ（７）、小銭収納部Ｂ（８）、小銭収納部Ｃ（９）を設け、財布本体（１）の内側に収納部Ａ（１０）、収納部Ｂ（１１）を設け、財布本体（１）の外側に収納部Ｃ（１２）を設け、口金（２ａ）に根付け取付部（１３）を設け、財布本体（１）の外側につまみ（１４）を設けたことを特徴とする細長い形状のかまくら財布。
【考案の詳細な説明】
【技術分野】
【０００１】  本考案は、細長い形状の財布で、軽くて、握りやすく、手に持っていても疲れないことが特徴の細長い形状のかまくら財布に関するものである。
【背景技術】
【０００２】  従来の財布は、硬貨の収納に対して、開口部が狭く、収納部の底部に、硬貨が混在して収まり、取り出すことが難しかった。
たとえば、財布内に収納された硬貨が、硬貨別に収容され、かつ、開き部が大開きできることにより、硬貨の取り出しが容易で、硬貨が別に収納できる大開き式の長財布が提案されている。（特許文献１参照）
【先行技術文献】
【０００３】
【特許文献１】  特願２００５−３８１０３３号公報
【考案の概要】
【考案が解決しようとする課題】
【０００４】  従来は、次のような欠点があった。
（イ）財布の開口部が狭いため、指先で硬貨を摘むのが難しかった。
（ロ）硬貨が財布の底部にあるため、硬貨別に分けて計算しながら取り出すことが難しか    った。
本考案は、以上のような欠点を解決しようとするものである。
【課題を解決するための手段】
【０００５】  財布本体（１）に口金（２ａ）、または、ファスナー（２ｂ）を設け、口金（２ａ）、または、ファスナー（２ｂ）に止め具（３）を設け、財布本体（１）の内側に仕切りＡ（４）、仕切りＢ（５）、仕切りＣ（６）を設け、財布本体（１）の内側に小銭収納部Ａ（７）、小銭収納部Ｂ（８）、小銭収納部Ｃ（９）を設け、財布本体（１）の内側に収納部Ａ（１０）、収納部Ｂ（１１）を設け、財布本体（１）の外側に収納部Ｃ（１２）を設け、口金（２ａ）に根付け取付部（１３）を設け、財布本体（１）の外側につまみ（１４）を設けたことを特徴とする細長い形状のかまくら財布。
【考案を実施するための形態】
【０００６】  以下、本考案を実施するための形態について説明する。
財布本体（１）に口金（２ａ）、または、ファスナー（２ｂ）を設ける。
口金（２ａ）、または、ファスナー（２ｂ）に止め具（３）を設ける。
財布本体（１）の内側に仕切りＡ（４）、仕切りＢ（５）、仕切りＣ（６）を設ける。
財布本体（１）の内側に小銭収納部Ａ（７）、小銭収納部Ｂ（８）、小銭収納部Ｃ（９）を設ける。
財布本体（１）の内側に収納部Ａ（１０）、収納部Ｂ（１１）を設ける。
財布本体（１）の外側に収納部Ｃ（１２）を設ける。
口金（２ａ）に根付け取付部（１３）を設ける。
財布本体（１）の外側につまみ（１４）を設ける。
以上のように構成された細長い形状のかまくら財布である。
図１は、本考案の財布を開いた状態の斜視図である。
財布に、小銭、メモ帳、２つ折にした札を入れた状態の説明をしている。
図２は、本考案の財布の外側のポケットを見せた状態の説明図である。
図３は、本考案の財布の外側の説明図である。
図４は、本考案の財布の使用状態を示した説明図で、外側のポケットにメモ帳、筆記具を入れた状態である。
【考案の効果】
【０００７】  財布の形状が細長いので、軽くて、握りやすいので、手に持って、買い物をしても疲れない。
小銭入れの場所が、真ん中にあるので、あるので、バランスが良い。
小銭入れの所の小さめの区切りで移動が止められる。
収納部が浅いので、中身の出し入れがしやすい。
外側にポケットをつけたので、買い物のメモ、筆記具が入れられる。
【図面の簡単な説明】
【０００８】
【図１】  本考案の財布の口金を開いた状態の斜視図
【図２】  本考案の財布の口金の外側のポケットを見せた状態の説明図
【図３】  本考案の財布の口金の外側の説明図
【図４】  本考案の財布の口金の外側のポケットの使用状態を示した説明図
【図５】  本考案の財布のファスナーを開いた状態の斜視図
【図６】  本考案の財布のファスナーの外側のポケットを見せた状態の説明図
【図７】  本考案の財布のファスナーの外側の説明図である。
【図８】  本考案の財布のファスナーの外側のポケットの使用状態を示した説明図
【符号の説明】
【０００９】  １  財布本体
２ａ  口金
２ｂ  ファスナー
３  止め具
４  仕切りＡ
５  仕切りＢ
６  仕切りＣ
７  小銭収納部Ａ
８  小銭収納部Ｂ
９  小銭収納部Ｃ
１０  収納部Ａ
１１  収納部Ｂ
１２  収納部Ｃ
１３  根付け取付部
１４  つまみ
【図１】
0003153324.tif 000003
【図２】
0003153324.tif 000004
【図３】
0003153324.tif 000005
【図４】
0003153324.tif 000006
【図５】
0003153324.tif 000007
【図６】
0003153324.tif 000008
【図７】
0003153324.tif 000009
【図８】
0003153324.tif 000010
(57)【要約】      （修正有）【課題】デッキブラシを柄杓として使用でき、散水と同時にブラシ掛けが出来るデッキブラシを提供する。【解決手段】ブラシ部１の上面に、ブラシ部１と長尺柄２の付け根を挟んで、水受けとしてカップ状の容器３，４を左右２個設けデッキブラシに柄杓機能を付加する。そのことにより、ブラシ掛けと同時に適量の散水が可能となり作業性の良い清掃が可能となる。【選択図】図１
0003153325.tif 000002
【実用新案登録請求の範囲】
【請求項１】
デッキブラシのブラシ部上面に水受けを設けたことを特徴とするデッキブラシ
【請求項２】
前記水受けは、カップ状の容器とし、デッキブラシのブラシ部と柄の付け根を挟んで、左右２個設けたことを特徴とする請求項１記載のデッキブラシ
【請求項３】
前記水受けは、底部より開口部の方が広いカップ状とし、破損時には容易に交換出来るようにブラシ部にねじ留めにて固定し着脱可能を特徴とする請求項１記載のデッキブラシ
【考案の詳細な説明】
【技術分野】
【０００１】  この考案は、犬走り等の清掃に使用するデッキブラシの付属物に関する。
【背景技術】
【０００２】  従来のデッキブラシは、図２に示すように、ブラシ部に長い柄が付いただけである。
【考案の概要】
【考案が解決しようとする課題】
【０００３】  デッキブラシは通常、汚れを落し易くするために水を併用しながら使用する。そして、その水を供給するためにホースと水道栓を使用するか、水を入れた容器（バケツ等）を使用する。しかしながら、ホースと水道栓は準備に手間がかかりかつ必要以上の水を消費する傾向にある。容器（バケツ等）の場合、手軽でかつ無駄のない水の消費が見込めるが、散水とブラシ掛けが別動作となり作業性が悪い。
そこで、この考案は、手軽に使用出来る容器（バケツ等）で作業性の良いブラシ掛けが可能となることを課題とする。
【課題を解決するための手段】
【０００４】  以上の課題を解決するために、第一考案は、デッキブラシのブラシ部上面に水受けを設けたことを特徴とするデッキブラシである。
また、第二考案は、水受けとしてカップ状容器を、ブラシと柄の付け根を挟んで、左右２個設けたことを特徴とするデッキブラシである。
【考案の効果】
【０００５】  第一考案、または第二考案によれば、デッキブラシに水受けを設けたことでデッキブラシを柄杓として使用でき、散水と同時にブラシ掛けが出来る。
【図面の簡単な説明】
【０００６】
【図１】この考案の一実施形態を示す斜視図である。
【図２】従来技術を示す斜視図である。
【考案を実施するための形態】
【０００７】  この考案の一実施形態を、図１に示す。
ブラシ部１に長尺の柄２が取り付けられている通常のデッキブラシのブラシ部１の上面に、カップ状容器３，４が柄２を挟んで左右に設けられている。カップ状容器３，４の材質は軽くて容易に破損せず、かつ錆びない材質であれば何でも良い。カップ状容器３，４はブラシ部１の上面にねじ５，６で固定することにより着脱可能にしておき、万一カップ状容器３，４が破損した時、それらを容易に交換出来るようにしておく。又、カップ状容器３，４は開口部を底部より広くすることで、水を汲み取り易くする。
【０００８】「実施形態の効果」
この実施形態によれば、カップ状容器３，４を左右に設けたことで、水を用意した容器（バケツ等）が使用者の左右どちら側にあっても効率良く水を汲み取ることが出来る。また、カップ状容器３，４で同時に水を汲むことでより多量の水を利用することが出来る。カップ状容器３，４はブラシ部１の上面に固定されているためブラシ部１を清掃対象面に擦り付けると同時に水が飛散し無駄のない効率の良い清掃が可能となる
【符号の説明】
【０００９】１  ブラシ部            ２  長尺柄
３、４  カップ状容器        ５，６  固定ねじ
【図１】
0003153325.tif 000003
【図２】
0003153325.tif 000004
(57)【要約】      （修正有）【課題】安定した状態で、搾り汁を飛散させることなく、さらに、手を濡らすことなくレモンを搾ることができるレモン搾り具を提供する。【解決手段】軟質合成樹脂材よりなる連続一体成形品で、内部にカットレモンの収納部を備え、外面に収納部へのカットレモンの差し入れ開口とレモン搾り汁Ｊの排出穴１０とが設けられる。【選択図】図５
0003153328.tif 000002
【実用新案登録請求の範囲】
【請求項１】
軟質合成樹脂材よりなる連続一体成形品で、内部にカットレモンの収納部を備え、外面に前記収納部への前記カットレモンの差し入れ開口とレモン搾り汁の排出穴とが設けられなることを特徴とするレモン搾り具。
【請求項２】
前記排出穴が細く形成された端部に形成されてなる請求項１記載のレモン搾り具。
【請求項３】
弾力復元による保形機能を持つ請求項１または２記載のレモン搾り具。
【考案の詳細な説明】
【技術分野】
【０００１】  この考案は、レモン搾り具に関する。
【背景技術】
【０００２】  揚げ物やサラダ等の料理には、カットされたレモンの搾り汁がかけられる。その際にはレモンが直接手に持たれて搾られるが、滑りやすくて搾りにくい、搾り汁が周囲に飛散する、手が搾り汁で濡れてしまう等の問題があった。
【考案の開示】
【考案が解決しようとする課題】
【０００３】  この考案は、安定した状態で、搾り汁を飛散させることなく、さらに、手を濡らすことなくレモンを搾ることができるようにするものである。
【課題を解決するための手段】
【０００４】  この考案では、軟質合成樹脂材よりなる連続一体成形品で、内部にカットレモンの収納部を備え、外面に前記収納部への前記カットレモンの差し入れ開口とレモン搾り汁の排出穴とが設けられなることを特徴とするレモン搾り具を提供する。【０００５】  この考案のレモン搾り具によれば、差し入れ開口を介して収納部内へカットレモンを納めた状態において、その全体を手で押圧することでカットレモンから搾り出された搾り汁が排出穴から外部に排出される。搾り作業がレモン搾り具を手の平で握り込むようにして行えるので、滑ることなく安定した状態で行える。さらに、カットレモンがレモン搾り具に覆われていることで搾り汁や種が外方に飛散しない。さらに、搾り汁のほぼ全量を排出穴から排出できる。さらに、カットレモンＬを直接持つことなく搾ることができるので手を濡らすことがない。【０００６】  排出穴を細く形成した端部に形成することで、レモン搾り汁を対象料理に的確に滴下することができる。また、レモン搾り具を弾力復元による保形機能を持つ構成とすることで、収納部へのカットレモンＬの差し入れ、搾り、使用後の洗浄それぞれの作業が容易になされる。【０００７】  軟質合成樹脂材としては適宜のものが使用可能であるが、軟質のシリコン樹脂等が好適に用いられる。
【考案の効果】
【０００８】  このレモン搾り具を用いることで、安定した状態で、搾り汁を飛散させることなく、さらに、手を濡らすことなくレモンを搾ることができるようになり、これにより、美味しく楽しい食事が実現されるようになる。
【考案を実施するための形態】
【０００９】  図１はこの考案のレモン搾り具の表面側の外観斜視図、図２は同裏面側の外観斜視図、図３は図１におけるａ−ａ位置の断面図である。
【００１０】  レモン搾り具１は、軟質シリコン樹脂の連続一体成形品で、上部のレモン形態部２とその下側から連続一体に延び出す延び出し部３とからなる。レモン形態部２内はカットレモンの収納部４とされ、レモン形態部２の前側の両斜面５、５表面にはレモン模様７、７が付され、後側の球面８の上部にはカットレモンの差し入れ開口９が縦方向に設けられている。延び出し部３は下方に行くに従って細くなり、その下端にはレモン搾り汁の排出穴１０が設けられている。
【００１１】  図４、図５を参照してレモン搾り具１の使用について説明する。まず、図４に示すように、一方の手にレモン搾り具１を持ち若干押圧するようにして差し入れ開口９を巾広となるように拡げ、他方の手に持ったカットレモンＬをその差し入れ開口９から差し入れて収納部４内に納める。次に、図５に示すように、カットレモンＬが収納されたレモン搾り具１をその表側が前方に向くように上下方向に持ってその全体を手の平で握り込むようにして押圧する。これにより収納部４内のカットレモンＬから搾り出されたレモン搾り汁Ｊが延び出し部３内を流下して下端の排出穴より滴下される。
【００１２】  上記において、レモン搾り具１は軟質シリコン樹脂よりなり、軟らかく、かつ、弾力性があることで収納部４内のカットレモンＬの搾り動作が容易になされる。その搾り作業はレモン搾り具１を手の平で握り込むようにして行えるので滑ることなく安定した状態で行え、また、レモン搾り汁Ｊや種が外方に飛散しないとともに、レモン搾り汁Ｊの全量を排出穴１０を通して対象料理に無駄なく滴下できる。レモン搾り汁Ｊの滴下は細く形成された延び出し部３の下端の排出穴１０から行われるので、対象料理に的確に滴下することができる。また、カットレモンＬを直接持つことなく搾ることができるのでレモン搾り汁Ｊで手を濡らすこともない。さらに、レモン搾り具１は弾力復元による保形機能を持って常に所定の形態を保つので、収納部４へのカットレモンＬの差し入れ、また使用後の洗浄作業も容易になされる。
【図面の簡単な説明】
【００１３】
【図１】  この考案のレモン搾り具の実施形態の表面側の外観斜視図
【図２】  この考案のレモン搾り具の実施形態の裏面側の外観斜視図
【図３】  この考案のレモン搾り具の実施形態の図１のａ−ａ位置における断面図
【図４】  この考案のレモン搾り具の実施形態の使用説明図
【図５】  この考案のレモン搾り具の実施形態の使用説明図
【符号の説明】
【００１４】１    レモン搾り具
４    収納部
９    差し入れ開口
１０  排出穴
Ｌ    カットレモン
Ｊ    レモン搾り汁
【図１】
0003153328.tif 000003
【図２】
0003153328.tif 000004
【図３】
0003153328.tif 000005
【図４】
0003153328.tif 000006
【図５】
0003153328.tif 000007
(57)【要約】      （修正有）【課題】従来の光を反射する特殊なテープ、光を照射する装置、光の反射板もしくはスリット、戻ってくる光を受光し回転数を計算する計測器と多くの複雑で高価な特別な装置を必要としない低費用でかつ簡便な撹拌機の回転数表示装置を提供する。【解決手段】攪拌機の軸部分の円周に一定幅のスリット(Ｃ１、Ｃ２、Ｃ３)を有する一定幅の線を描画したシートｄを撹拌軸に貼付することにより特別な装置を必要とすることなく回転数を表示させることができる。【選択図】図２
0003153350.tif 000002
【実用新案登録請求の範囲】
【請求項１】
攪拌機の軸部分の円周に一定幅のスリットを有する一定幅の線を設けることを特徴とする回転数表示装置。
【請求項２】
攪拌機の軸部分の円周に設けられた一定幅のスリットを有する一定幅の線が、スリットおよび/または線の幅を変えて複数本、平行に設けられた請求項１に記載の回転数表示装置。
【考案の詳細な説明】
【技術分野】
【０００１】
本考案は、撹拌機の回転数を簡便に表示することが出来る回転数表示装置に関するものである。
【背景技術】
【０００２】
従来の撹拌機の回転数表示装置は、攪拌軸に1片の反射テープを直接貼り付け、そのテープに向かって光を放射し、戻ってくる光を検出することで回転数を計測する方法が一般的であった。又、より回転数の検出精度を上げるために複数のスリットを撹拌軸と連動する様に取り付け、複数のスリットを通して放射された光を受光することで回転数を計測する方法も提案されている（特許文献１）
【０００３】
【特許文献１】実開昭６０−５５４号公報
【考案の開示】
【考案が解決しようとする課題】
【０００４】
しかしながら、これらの方法は、光を反射する特殊なテープ、光を照射する装置、光の反射板もしくはスリット、戻ってくる光を受光し、回転数を計算する計測器と多くの複雑で高価な装置を必要とするという問題点があった。本考案は上記課題を解決するものであって、特別な装置を有さずに低費用でかつ簡便な撹拌機の回転数表示装置を提供する点にある。
【課題を解決するための手段】
【０００５】
本考案は上記課題を解決するものであって、攪拌機の軸部分の円周に一定幅のスリットを有する一定幅の線を設けることを特徴とする回転数表示装置である。
【考案の効果】
【０００６】
上記の手段を用いる事によって、低費用で特別な装置を有さずに広範囲な撹拌機の回転数を表示することが出来る回転数表示装置を提供する。
【考案を実施するための最良の形態】
【０００７】
本考案に係る回転数表示装置は次のようにして使用される。攪拌機の軸部分の円周に一定幅のスリットを有する一定幅の線を塗装もしくは、あらかじめ一定幅のスリットを有する一定幅の線を描画したシート等を貼付して設ける。このスリットおよび/または線の幅は撹拌機が必要とする回転数に達した時に目視で連続した線状に見えるようになるように決められる。複数の回転数を表示させたい場合は、ある任意の回転数を表示するスリットを有する線の上もしくは下側に、回転数がより少ない場合は、スリット幅を短く、および/または線を長くし、回転数がより多い場合にはスリット幅を長く、および/または線を短くすることによって目視で連続した線状に見えるようになるようにスリットを有する一定幅の線を設ける事ができる。それぞれの回転数に応じたスリットを有する一定幅の線が複数ある場合には、その線がどの回転数に対応するか判別しやすいように色分けするのが好ましい。
【図面の簡単な説明】
【０００８】
【図１】本考案の回転数表示装置の具体的一実施例の正面図である。
【図２】本考案の回転数表示装置に用いる一定幅のスリットを有する一定幅の線を描画したシートの具体的一実施例の正面図である。
【実施例】
【０００９】
以下、添付図面に従って一実施例を説明する。シートｄの中央に回転数６０〜８０回転/分で連続した線状に目視出来る線幅８ｍｍ、スリット幅４ｍｍの線C２を描画した。その上に線幅４ｍｍ、スリット幅６ｍｍの線C１を描画し、最下部に線幅１０ｍｍ、スリット幅２ｍｍの線C３を描画した。その3本の線が描画されたシートｄを槽ａの撹拌軸ｂに貼付した。撹拌機を動かし回転数が６０〜８０回転/分に達した時に最下部に設けた線C３と中央に設けた線C２が連続した線状に繋がって見ることが確認できた。回転数が６０〜８０回転/分に達しない場合は、最下部に設けた線C３のみが連続した線状に繋がって見え、回転数が６０〜８０回転/分を超えた場合には、C１、C２、C３全てが連続した一本の線に見える。最下部に設けた線C３と中央に設けた線C２が同時に連続した線状に繋がっている事を視認することで６０〜８０回転/分で回転していることが確認できる。
【符号の説明】
【００１０】
a               :槽
b               :撹拌軸
c、c１、c２、c３:スリットを有する線
d               :シート
【図１】
0003153350.tif 000003
【図２】
0003153350.tif 000004
(57)【要約】      （修正有） 【課題】収納時に見やすく重ねて収納でき、使いたい大きさの密閉容器を取り出しやすく、かつ蓋を探す手間がなくなる様に、蓋を開けたまま、蓋を常に容器と一体にして収納できる密閉容器を提供する。【解決手段】収納時に蓋２を容器１の底４にセットし、蓋２を開けたまま収納できる様に、容器の底に高台３を配する。この高台３は、容器１の上の縁と同じ形状で蓋２を取り付ける為の凸部を有し、収納時にはここに蓋２をはめ込むことができるように構成する。【選択図】図１
0003153347.tif 000002
【実用新案登録請求の範囲】
【請求項１】
底に蓋がつけられる高台を設けたことを特徴とする密閉容器。
【請求項２】
前記の高台は、容器の上の淵と同じ形状をした、蓋をつけるための凸であることを特徴とする請求項1記載の密閉容器。
【考案の詳細な説明】
【技術分野】
【０００１】
この考案は、密閉容器の形状に関する。
【背景技術】
【０００２】
従来の密閉容器の大半の形状は、図６に示すように、容器の底の形状が高台のようなものが何も無い状態である。
【考案の概要】
【考案が解決しようとする課題】
【０００３】
しかしながら図６の密閉容器の場合、蓋を底につける事ができないので蓋を開けた状態だと、蓋と容器がバラバラになってしまい、収納時にとても不便である。例えば、収納スペースを有効利用したい時に、蓋を開けて重ねて収納する。その際に、使いたい密閉容器の蓋がすぐに見つからないということが起こる。
【０００４】
また重ねて収納できる事が特徴のサイズバリエーションがあるセットの密閉容器もあるが、小さい密閉容器を使用したい時に、大きい密閉容器の中に収納しているため、それより大きい密閉容器の蓋を全部開けなければならない問題点が発生する。サイズ展開があるなしに関わらず大きい容器に蓋をして収納すれば、中に何を入れたか見えないうえに取り出しずらい。
【０００５】
そこでこの考案は、蓋を開けたまま、蓋を常に容器と一体にしておける密閉容器を提供することを課題とする。更にこの形状は図５に示すように、サイズバリエーションがあるセット物にした時に、完全に中に収納できるので更に効果を発揮する。
【課題を解決するための手段】
【０００６】
以上の課題を解決するために、底に蓋をセットできることができる高台を設けたことを特徴とする密閉容器である。また高台の内側の底面との角Aには丸みをもたせ洗いやすい形状にする。
【考案の効果】
【０００７】
以上の事により、容器の底に高台を設け、蓋を底にセットできるようにした密閉容器である。蓋を容器の底にセットできる事により、蓋を開けたまま収納できる。その効果は、収納時に見やすく重ねて収納でき、使いたい大きさの密閉容器を取り出しやすく、更に蓋を探す手間がなくなる。
【図面の簡単な説明】
【０００８】
【図１】この考案の一実施形態を示す斜視図である。
【図２】この考案の一実施形態を示す断面図である。
【図３】この考案の二実施形態（蓋を底に付けた状態）を示す斜視図である。
【図４】この考案の二実施形態（蓋を底に付けた状態）を示す断面図である。
【図５】この考案の二実施形態の状態でサイズ展開があり、収納時にスタッキングした形状の断面図。
【図６】従来技術を示す斜視図である。
【考案を実施するための形態】
【０００９】
この考案の一実施形態を、図１に示す。
密閉容器の容器の底に、容器の上の淵と同じ形状の高台を設け、蓋が底につけられるようにする。
【符号の説明】
【００１０】
１  容器 
２  蓋
３  高台 
４  底
【図１】
0003153347.tif 000003
【図２】
0003153347.tif 000004
【図３】
0003153347.tif 000005
【図４】
0003153347.tif 000006
【図５】
0003153347.tif 000007
【図６】
0003153347.tif 000008
(57)【要約】      （修正有）【課題】簡便に魚の内臓取り出しができるようにした、魚調理包丁を提供する。【解決手段】包丁１の刃先の上部に、内臓取り出し刃２を装備して、それで内臓取り出しができるようにした。使用に当たっては、小魚の内臓取り出しには腹を包丁１で切り、その後、包丁１を上下に持ちかえて、内臓取り出し刃２で内臓の喉元を切り、内臓全体をかき出す。【選択図】図１
0003153344.tif 000002
【実用新案登録請求の範囲】
【請求項１】
包丁１の刃先上部に魚の内臓取り出し刃２を装備した魚調理包丁
【考案の詳細な説明】
【考案の詳細な説明】
【考案が解決しようとする課題】
【０００１】  従来の包丁は、小魚の内臓取り出しには、腹を包丁で切り、その後、内臓取り出しには、手の爪先等で取り出していたが、不便であり、非能率的であった。
【課題を解決するための手段】
【０００２】  上記目的を達成するために、包丁１の刃先上部に、内臓取り出し刃２を装備して、それで魚の内臓取り出しができるようにした。
【考案の効果】
【０００３】  この包丁１を使用すれば、小魚の内臓取り出しには腹を包丁１で切り、その後、包丁１を上下に持ちかえて、内臓取り出し刃２で内臓の喉元を切り、内臓全体をかき出すことが簡便に、能率的にできる。
【図面の簡単な説明】
【図１】  小魚の内臓取り出し刃付の魚調理包丁の斜視図である。
【図２】  小魚の内臓取り出し刃付の魚調理包丁使用の斜視図である。
【符号の説明】      １  包丁
２  内臓取り出し刃
３  小魚
【図１】
0003153344.tif 000003
【図２】
0003153344.tif 000004
(57)【要約】      （修正有）【課題】長時間の使用は故障の原因になる。本体にタイマーを取り付けることによって、この問題を解決するミキサーを提供する。【解決手段】タイマー２と、これを操作するスイッチ３と、タイマーによる設定時間を表示する表示部５とを設けたことを特徴とする。タイマー操作用スイッチ３は、タイム設定用のタイマー用スイッチ４と、設定時間を表示する表示部５と、スタートスイッチ６とから構成されている。【選択図】図１
0003153341.tif 000002
【実用新案登録請求の範囲】
【請求項１】
タイマーと、これを操作するスイッチと、タイマーによる設定時間と表示する表示部とを設けたことを特徴とする家庭用ミル付ミキサー。
【考案の詳細な説明】
【技術分野】
【０００１】  本考案は、タイマーを組み込んだ、ミル付ミキサーに関するものである。
【背景技術】
【０００２】  従来のミル付ミキサーにあっては、ミキサーのくり返し運転は４分ごとに、ミルのくり返し運転は１分ごとに、それぞれ２分以上の間隔をあけて使う構成になっている。
【考案の開示】
【考案が解決しようとする課題】
【０００３】  長時間の使用は故障の原因になる。本体にタイマーを取り付けることにょって、この問題を解決することを課題とする。
【課題を解決するための手段】
【０００４】  タイマーと、これを操作するスイッチと、タイマーによる設定時間を表示する表示部とを、設けたことを特徴とする。家庭用ミル付ミキサー。
【考案の効果】
【０００５】  タイマーで使用時間を制御できるので故障がなくなる。
【考案を実施するための形態】
【０００６】  図１は、実施例のミキサーである。１はミキサー本体、２は本体内部に設けられているタイマー、３はタイマー操作用のスイッチである。
タイマー操作用スイッチ３は、タイム設定用のタイマー用スイッチ４と、設定時間を表示する表示部５と、スタートスイッチ６とより構成されている。
【図面の簡単な説明】
【０００７】
【図１】本考案の実施例の斜視図である。
【図２】従来の家庭用ミル付ミキサーの斜視図である。
【符号の説明】１    ミキサー本体
２    タイマー
３    タイマー操作用スイッチ
４    タイマー用スイッチ
５    表示部
６    スタートスイッチ
１１  ミキサー本体
１２  ミキサー操作用のスイッチ
【図１】
0003153341.tif 000003
【図２】
0003153341.tif 000004
(57)【要約】      （修正有）【課題】狭い場所で簡単に、一人で練習可能な卓球練習具を提供する。【解決手段】先端側に卓球ボールが固定され基端側にカム構造を備えたカム棒が、脚部の上に設けた基部の上に軸支されて直立してなる。基部は、カム棒のカム構造に対しカム棒が直立位置で掛止させるブレーキシューを備えており、かつ、基部の側方にはカム棒が水平より下向きになった時点で、カム棒の中途位置に当接する当てゴムを備えている。卓球ボールを打つと、カム棒が基部の軸を中心に回動して当てゴムに当接し、その反発力によりカム棒は直立位置まで戻り、ブレーキシューとカムの摩擦により停止し連続打球練習が出来る。【選択図】図１
0003153301.tif 000002
【実用新案登録請求の範囲】
【請求項１】
ほぼ直角に曲げたカム棒の先端に卓球用ボールを具備し,一方の端部は、カムを介しブレーキシュー及び当てゴムを有する基部に接続する卓球練習具。
【考案の詳細な説明】
【技術分野】
【０００１】
考案は、スポーツ、レクリエーションとして広く愛好されている卓球練習具に関する。
【背景技術】
【０００２】
卓球は主に室内で行われる競技であるため天候に左右されず、年間を通じて練習・競技を実施できるため、幼少年から老壮年にわたり国内では最も広く愛好されているスポーツである。近年は幼少期から特別の訓練を重ねた数名の選手、又は帰化選手により競技での国際レベルへ近づきつつあるが、男女とも世界を制覇した往年の栄光から遠ざかっている現状にある。
【先行技術文献】
【特許文献】
【０００３】
【特許文献１】特開平７−５７４
【特許文献２】特開平７−１１６２９２
【特許文献３】実用新案登録第３１１３７０７
【考案の概要】
【考案が解決しようとする課題】
【０００４】
このような状況下で、簡易にして有効な卓球練習機が望まれており、特開平７−５７４、同７−１１６２９２、又は実用新案登録第３１１３７０７号等各種提案がなされているが、安価にして、一人で簡便に練習できる有用な器具が見当たらない。
【課題を解決するための手段】
【０００５】
本考案者は、テニス、野球等の動作に関して長年にわたり研究・検討を行い基礎練習機の開発に携わっており、床上又はテーブル上の極めて狭いスペースに於いて一人で簡便に練習が可能な安価な練習具の考案に至った。即ちほぼ直角に曲げたカム棒の先端に卓球ボールを具備し、一方の端部はカムを介してブレーキシュー及び当てゴムを有する基部に接続する卓球練習具（以下本練習具と称する）である。カム棒先端の卓球ボールは、卓球ボールの外径に近似した内径の半球状のゴム又は軟質プラスチックにより装着されている。
【考案の効果】
【０００６】
本考案による練習具は、ほぼ直角に曲げたカム棒の先端に卓球ボールを具備しているため、練習にあたって複数のボールを必要とせず、多数の連続・反復練習が可能である。本練習機による反復練習はカム棒先端の卓球ボールを打球することにより、カム棒が前方に押倒された後、基部の当てゴムに当たってその反発ですぐに押戻され、ブレーキシューにより元の位置に復元し直ちに次の打球が繰り返し可能となる。更に本練習機は、小型、軽量であり携帯・設置も容易に行えることから、卓球台等の設置出来ない狭い場所で一人で随意に練習、或いはフォームの矯正練習が可能となる。
【図面の簡単な説明】
【０００７】
【図１】考案の卓球練習具の概観図であり、床上練習用脚部を有するものである。
【図２】考案の卓球練習具の打球時のカム棒の動作図である。
【図３】考案の卓上用クランプをつけた卓球練習具の概観図である。
【考案を実施するための形態】
【０００８】
本考案の卓球練習具に使用するカム棒の材質は連続の打撃に耐える変形しない材料であれば特に規定されないが、通常鉄、鋼製棒が安価で有用であり、太さは３〜６ｍｍ程度が有効である。先端部に具備する卓球ボールは練習用競技用いずれも使用者の任意に選択可能である。該ボールを装着する半球状ゴム又は、軟質プラスチックの材質、色は特に規定されないが装着ボールを接着剤等を使用しないで押し当てて装着・保持するため、その内径は卓球ボールの外径にほぼ近似しかつ柔軟性を有することが望ましいため、JISA硬度４０〜６０程度の硬さであることが望ましい。カム棒の打撃による反発を行う基部に張られた当てゴムは、繰返しの反発により切断されない強度が必要で、天然ゴム又はニトリルゴム、エチレン・プロピレンゴム等合成ゴムから選定できる。更に、本練習機の基部は床面での練習用に高さの調整可能な脚又はテーブルでの練習用にテーブルクランプを具備することも有効である。
【実施例】
【０００９】
（実施例１）
第1図に示す如く、太さ4mmで水平部100mm、垂直部200mmのカム棒の先端に練習
用卓球ボールをJISA硬度50のエチレンープロピレンゴム製半球を介してセットし、アル
ミ製カム、及びアルミ製当てゴム台、高密度ポリエチレン製ブレーキシューをつけた基部
に接続した。当てゴム台には幅12mm、厚さ2mm、JISA硬度45の天然ゴム製当てゴムを
セットし、80ｃｍ〜110ｃｍ高さ調整可能な太さ25mmの脚を取りつけた卓球練習具を作成
した。
【００１０】
（実施例２）
実施例１と同じ仕様の製品の基部に脚の代わりに鋼製クランプをとりつけ、テーブル取
付用卓球練習機を作成した。
【産業上の利用可能性】
【００１１】
考案の卓球練習機は、小型、軽量で持ち運びも可能で且つ小さなスペースの床、テーブル上で一人の練習が可能で、幼児〜老壮年まで広く利用が出来る卓球練習具である。
【符号の説明】
【００１２】
１    卓球ボール
２    ボール保持用半球ゴム
３    カム棒  
４    カム
５    基部
６    ブレーキシュー
７    当てゴム台
８    当てゴム
９    脚部
１０    クランプ
【図１】
0003153301.tif 000003
【図２】
0003153301.tif 000004
【図３】
0003153301.tif 000005
【手続補正書】
【提出日】平成21年6月26日(2009.6.26)
【手続補正１】
【補正対象書類名】実用新案登録請求の範囲
【補正対象項目名】全文
【補正方法】変更
【補正の内容】
【実用新案登録請求の範囲】
【請求項１】
先端側に卓球ボールが固定され基端側にカム構造を備えたカム棒が、脚部の上に設けた基部の上に軸支されてカム棒が直立してなる卓球練習具であって、前記基部は、前記カム棒のカム構造に対しカム棒が直立位置で掛止させるブレーキシューを備えており、かつ、前記基部の側方にはカム棒が水平より下向きになった時点で、カム棒の中途位置に当接する当てゴムを備えており、前記卓球ボールを打つと、カム棒が基部の軸を中心に回動して当てゴムに当接し、その反発力によりカム棒は直立位置まで戻り、ブレーキシューとカムの摩擦により停止し連続打球練習が出来る卓球練習具。
(57)【要約】      （修正有）【課題】ガラス外面の掃除を安全に効率よく行うことができるガラス部回転型引き違い窓用アルミサッシを提供する。【解決手段】引き違い窓用アルミサッシのガラス部に別枠を配設し、当該ガラス枠の上端縁部および下端縁部の幅方向中央に突起ピンを設けて、この突起ピンを中心に引き戸サッシ枠の中をガラス枠が回転出来ることを特徴とする。【選択図】図１
0003153305.tif 000002
【実用新案登録請求の範囲】
【請求項１】
引き違い窓用アルミサッシのガラス部に別枠を配設し、当該ガラス枠の上端縁部および下端縁部の幅方向中央に突起ピンを設けて、この突起ピンを中心に引き戸サッシ枠の中をガラス枠が回転出来るとしたところを特徴とするガラス部回転型窓用アルミサッシ
【考案の詳細な説明】
【技術分野】
【０００１】  本考案は、ガラス部に専用枠を設け，ガラス枠が回転出来るようにしたアルミサッシに関するものである。
【背景技術】
【０００２】  窓ガラスの外側を掃除する場合、窓を開け体及び腕を外に出して掃除したり、ガラス窓自体をとりはずして掃除をしていた。
【考案の概要】
【考案が解決しようとする課題】
【０００３】  窓ガラス外側の掃除は体を外に出して作業する為、危険性が高く、作業効率がわるい。
従って、ガラス部を回転させる事により、ガラス内面とガラス外面とを変位させ、部屋の中での作業で容易に前述の欠点を解決しようとするものである。
【課題を解決するための手段】
【０００４】  本考案は、窓サッシのガラス部に枠をとりつけて、当該ガラス枠の上端縁部及び下端縁部の中央に突起ピンを設けて、この突起ピンを回転軸として１８０度回転させることにより問題点を解決している。
【考案の効果】
【０００５】  上記の様に、本考案のガラス部回転型窓用アルミサッシは、ガラスの内面と外面とを変位させることにより部屋の中での作業で、ガラス外面の掃除が安全に効率よくできる。特に２階以上の高所設置の窓では、墜落防止、落下物防止等の安全対策に役立つ。
【考案を実施するための形態】
【０００６】  通常の窓の開閉は、引き戸サッシ枠とガラス枠とを支承させない為に、引き戸サッシ枠に設けた錠により錠止させた状態で行い、掃除を行う時は、開錠しガラス部を縁部中央の突起ピンを中心に回転させ、ガラス内面と外面とを変位させる。又、掃除作業時にはガラス枠が回転しない様に錠止させておく。ガラス枠は引き戸サッシ枠内を可動する為、風雨の進入防止として引き戸サッシ枠内側にゴム等の柔軟材を配置して気密を確保する。
【実施例】
【０００７】  以下、添付図面に従って一実施例を説明する。１は引き戸サッシ枠、２は１内のガラス部を回転させる為のガラス枠、３はガラス枠の上端縁部中央に設けた回転の中心となる突起ピンで、３ａは３の回転時に於ける磨耗防止と回転を円滑に行う為のプラスチック等適宜素材である。４はガラス枠の下端縁部中央に設けた突起ピンで３と同様にガラス部を回転する時に回転の中心となる。４ａは３ａと同様に４の突起ピンの磨耗防止と回転を円滑に行う為のプラスチック等適宜素材である。【０００８】  ５ａはサッシ枠１と、ガラス枠２とを固定する為の錠体で、引き戸サッシの開閉及び窓ガラスの掃除の際に、不安定にならない様に繋止させる。５は錠体５ａが係入する開口部、６は錠体５ａが係入するガラス枠２の開口部、６ａは鎖錠する為の部材である。７は風雨等の進入防止の為に引き戸サッシ枠１に配設したゴム等の柔軟材である。８は引き戸サッシ枠の錠体部品で、９はガラス、１０は引き戸サッシのレールである。【０００９】  本考案の一実施例は上述の如き構成からなるものである。
【図面の簡単な説明】
【００１０】
【図１】本考案のガラス部回転型引き違い窓用アルミサッシの一実施例を示す図で、引き戸の幅方向中央を断面とした斜視図である。
【符号の説明】
【００１１】  １  引き戸サッシ枠
２  ガラス枠
３  上部突起ピン
４  下部突起ピン
５  引き戸サッシ枠の開口部
６  ガラス枠の開口部
７  ゴム等の柔軟材
８  錠体部品
９  ガラス
１０  サッシレール
【図１】
0003153305.tif 000003
(57)【要約】      （修正有）【課題】既存の竿に装着された既存のスピニングリールに付加可能で、且つ、簡易な投げ釣り用魚誘い装置を提供する。【解決手段】既存の釣竿３に装着された既存のスピニングリール１に付加された円盤形ハンドル２を連結板８に乗せるだけで、連結板８に直結されたギア付きモータ７の回転により、スピニングリール１の円盤形ハンドル２を回転させる。さらに、ギア付きモータ７に回転時間制御回路９、および、停止時間制御回路１０を付加し、回転と停止を交互に切り替え、釣餌を海底で一定距離手前に引き寄せた後、一定時間停止する動作を繰り返すことによる簡易な投げ釣り用魚誘い装置を実現する。【選択図】図１
0003153310.tif 000002
【実用新案登録請求の範囲】
【請求項１】
既存のスピニングリールに連結される連結板、当該連結板を回転させるモータ、当該モータの回転時間、および、停止時間を制御するための制御機構を備えたことを特徴とする魚誘い装置
【考案の詳細な説明】
【技術分野】
【０００１】  本考案は、魚釣りで魚を誘うための魚誘い装置に関するものである。
【背景技術】
【０００２】  魚を誘う装置としては、釣餌を上下に動かして魚を誘う装置は存在していたが、投げ釣り用として、釣り餌を海底で水平に動かして魚を誘う装置は存在していなかった。【０００３】
【特許文献】実用新案登録第３１３８８４２「魚誘い装置」  実用新案登録第３１４９６６３「魚誘い装置」
【考案が解決しようとする課題】
【０００４】  底魚（通常、海底を移動する魚）を釣る場合、スピニングリールを用いた投げ釣りが行われる。シロギス、カレイ、および、イシモチ等の底魚は誘い（釣餌を海底で一定距離手前に引き寄せた後、一定時間停止する動作）をかけると釣れることが多く、特にシロギス釣りでは頻繁に誘いをかける釣り方が行われている。投げ釣り用の魚誘い装置は存在していなかったので、電池駆動で、且つ、簡易に底魚に誘いをかける装置を実現する必要があった。
【課題を解決するための手段】
【０００５】  本考案は、実用新案登録第３１４９６６３「魚誘い装置」の基本的な構造を利用するものであり、既存のスピニングリールのハンドルレバーを取り外し、代わりにハンドルツマミが付いた円盤形ハンドルをスピニングリールに取り付ける。さらに、モータの回転を釣糸の巻取り方向のみに、一定時間回転させ、さらに、一定時間停止させる制御回路を付加することにより、投げ釣り用の魚誘い（釣餌を海底で一定距離手前に引き寄せた後、一定時間停止する動作）機能を実現する。
【考案の効果】
【０００６】  従来技術として、実用新案登録第３１３８８４２「魚誘い装置」、および、実用新案登録第３１４９６６３「魚誘い装置」があるが、これらの従来技術は、釣餌を上下に動かして魚を誘うものであるため、底魚（シロギス、カレイ、イシモチ等）を誘うものとしては適していない。本考案は、投げ釣り用として、釣餌を海底で水平に動かして底魚を誘うものであり、底魚を釣るための魚誘い装置として有効である。
【０００７】  本考案の装置は、スピニングリールの部分と切り離せる構造であるため、釣餌を遠方に投げる時は、本考案の装置と切り離して投げるため、投げる時にも全く支障が生じない。
【０００８】  本考案の装置は、ギア付きのスピニングリールを使用するため、モータの回転時は、モータの駆動電流が多少必要になる。しかし、通常の誘い動作では、モータの回転時間よりも停止時間の方が数倍長いため、平均消費電流としては少なく、単３乾電池２本程度
で長時間の使用が可能である。
【図面の簡単な説明】
【０００９】
【図１】本考案の魚誘い装置の一実施例を示す斜視図である。
【考案を実施するための形態】
【００１０】  本発明の魚誘い装置の上部に釣竿を支えるための釣竿支えを設け、さらに、上部に、既存のスピニングリールに取り付けられた円盤形ハンドル部分を乗せて、且つ、支えるための皿形の連結板を取り付け、該連結板はギア付きモータに直結されて、ギア付きモータの回転により、スピニングリールの円盤形ハンドルが回転する構造を実現する。ギア付きモータには、回転時間を制御する制御回路、および、停止時間を制御する制御回路を付加する。
【実施例】
【００１１】  以下、添付図面に従って説明する。図１は本発明の実施例を示す斜視図である。【００１２】  ４は取付け台であり、取付け台４の上部に、既存のスピニングリール１が装着された既存の釣竿３を支えるための前部釣竿支え５、および、後部釣竿支え６を設ける。取付け台４の側面上部にギア付きモータ７を取り付け、取付け台４の上部に突き出たモータの軸に、皿形の連結版８を取り付ける。既存のスピニングリール１のハンドルツマミ２ａが付いた側の円板形ハンドル２の部分を連結板８に乗せたとき、連結板８に開けた穴８ａにハンドルツマミ２ａが入るようにして、ギア付きモータ７の回転により、既存のスピニングリール１に取り付けられた円盤形ハンドル２が回転し、既存のスピニングリール１に巻かれた釣糸が、ギア付きモータ７の回転に応じて、巻き取り方向に動作したり、停止したりする。【００１３】  ギア付きモータ７に、回転時間制御回路９、さらに、停止時間制御回路１０を接続し、回転時間設定用ボリュウム１３、および、停止時間設定用ボリュウム１４により、任意に回転時間と停止時間を設定可能にする。また、ギア付きモータ７、回転時間制御回路９、および、停止時間制御回路１０に電源を供給する電池ユニット１１にスイッチ１２を取り付ける。スイッチ１２をＯＮにすると同時に、ギア付きモータ７は設定された時間だけ回転、停止を交互に繰り返し、その結果、既存のスピニングリール１に巻かれた釣糸が、巻き取りと停止を交互に繰り返すため、釣針に付けられた餌の部分が海底を手前に移動したり、停止したりする動作を繰り返すことになり、魚の食い気を誘うことになる。【００１４】  本考案の魚誘い装置の実際の応用例として、まず、本装置に釣竿を乗せる前に、スピニングリール付きの釣竿で、釣餌を遠方に投げ、釣餌が海底に着地した後、釣糸の緩みを取ってから、本装置に釣竿を乗せ、スィッチ１２をＯＮにする。
【符号の説明】
【００１５】１    既存のスピニングリール
２    円板形ハンドル
２ａ  ハンドルツマミ
３    既存の釣竿
４    取付け台
５    前部竿支え
６    後部竿支え
７    ギア付きモータ
８    連結板
８ａ  連結版８に開けた穴
９    回転時間制御回路
１０  停止時間制御回路
１１  電池ユニット
１２  スィッチ
１３  回転時間設定用ボリュウム
１４  停止時間設定用ボリュウム
【図１】
0003153310.tif 000003